(57)【要約】【課題】可動電極と固定電極間抵抗間の接触抵抗の影響を受けずに可動電極の位置を検出できるポテンショメータの可動電極位置検出回路を提供する。【解決手段】抵抗測定回路８と、抵抗測定回路８を、可動電極端子７と第１固定電極端子５間に接続するか、あるいは可動電極端子７と第２固定電極端子６間に接続するか、を切り替え可能な切替回路９と、固定電極間抵抗３の抵抗値、抵抗測定回路８を可動電極端子７と第１固定電極端子５間に接続したときに抵抗測定回路８で測定した抵抗値、抵抗測定回路８を可動電極端子７と第２固定電極端子６間に接続したときに抵抗測定回路８で測定した抵抗値を基に、可動電極４の位置を演算する演算装置１０と、を備えたものである。【選択図】図１
2013160641.tif 000002
【特許請求の範囲】
【請求項１】
固定電極間抵抗に可動電極を摺動可能に接触させてなり、前記固定電極間抵抗の両端にそれぞれ設けられた第１固定電極端子および第２固定電極端子と、前記可動電極に設けられた可動電極端子とを備えたポテンショメータの可動電極位置検出回路であって、
抵抗測定回路と、
前記抵抗測定回路を、前記可動電極端子と前記第１固定電極端子との間に接続するか、あるいは、前記可動電極端子と前記第２固定電極端子との間に接続するか、を切り替え可能な切替回路と、
前記固定電極間抵抗の抵抗値と、前記抵抗測定回路を前記可動電極端子と前記第１固定電極端子との間に接続したときに前記抵抗測定回路で測定した抵抗値と、前記抵抗測定回路を前記可動電極端子と前記第２固定電極端子との間に接続したときに前記抵抗測定回路で測定した抵抗値とを基に、前記可動電極の位置を演算する演算装置と、
を備えたことを特徴とするポテンショメータの可動電極位置検出回路。
【請求項２】
前記演算装置は、
前記固定電極間抵抗の抵抗値Ｒ０と、前記抵抗測定回路を前記可動電極端子と前記第１固定電極端子との間に接続したときに前記抵抗測定回路で測定した抵抗値Ｒ１’と、前記抵抗測定回路を前記可動電極端子と前記第２固定電極端子との間に接続したときに前記抵抗測定回路で測定した抵抗値Ｒ２’とを基に、下式（１）
Ｒ２／Ｒ０＝（Ｒ０−Ｒ１’＋Ｒ２’）／（２・Ｒ０）    ・・・（１）
により、前記可動電極の位置Ｒ２／Ｒ０を演算するように構成される
請求項１記載のポテンショメータの可動電極位置検出回路。
【請求項３】
前記切替回路は、前記抵抗測定回路を、前記可動電極端子と前記第１固定電極端子との間、前記可動電極端子と前記第２固定電極端子との間、あるいは前記両固定電極端子間のいずれかに接続するよう切り替え可能に構成され、
前記演算装置は、前記抵抗測定回路を前記両固定電極端子間に接続したときに前記抵抗測定回路で測定した前記固定電極間抵抗の抵抗値を用いて、前記可動電極の位置を演算するように構成される
請求項１または２記載のポテンショメータの可動電極位置検出回路。
【請求項４】
前記抵抗測定回路を、直流定電圧源と電流測定回路とで構成し、
前記電流測定回路と直列に電流制限素子を設けた
請求項１〜３いずれかに記載のポテンショメータの可動電極位置検出回路。
【発明の詳細な説明】
【技術分野】
【０００１】
本発明は、ポテンショメータの可動電極位置検出回路に関するものである。
【背景技術】
【０００２】
携帯電話の基地局用アンテナでは、サービスエリアを設定あるいは変更するために、アンテナから出力される電波の垂直方向の指向方向（チルト角）を電気的制御信号により変化させることができる可変電気チルト角アンテナが広く導入されている。可変電気チルト角アンテナでは、アンテナ内に設けられた信号分配器を兼ねた可変移相器により、複数のアンテナ素子へ入力されるＲＦ信号の位相を制御することにより電気チルト角を変化させているが、この可変移相器の制御状態をモニタするために、ポテンショメータを利用することがある。
【０００３】
図４（ａ）に示すように、ポテンショメータ４１は、固定電極間抵抗４２に可動電極４３を摺動可能に接触させて構成されている。固定電極間抵抗４２の両端には、第１固定電極端子４４と第２固定電極端子４５がそれぞれ設けられており、可動電極４３には可動電極端子４６が設けられている。
【０００４】
なお、図４（ａ）では、ポテンショメータ４１として、固定電極間抵抗４２を直線状に形成し、可動電極４３の直線上の位置を検出するリニアポテンショメータ（スライドボリュームともいう）を示しているが、回転角度を検出するロータリーポテンショメータも基本的に同じ構造である（ロータリーポテンショメータでは、固定電極間抵抗が円弧状に形成される）。
【０００５】
図４（ｂ）に示すように、従来のポテンショメータの可動電極位置検出回路４７では、ポテンショメータ４１の２つの固定電極端子４４，４５間に基準電圧Ｖ０を印可し、固定電極間抵抗４２に接触させた可動電極４３の電位、すなわち可動電極端子４６の電位を電圧測定回路４８で測定することにより、可動電極４３の位置を検出している。なお、図４（ｂ）において、Ｒｉｎは電圧測定回路４８の入力抵抗を表しており、Ｒｃは可動電極４３と固定電極間抵抗４２との間に存在する接触抵抗を表している。また、固定電極間抵抗４２の抵抗値をＲ０、第１固定電極端子４４から可動電極４３までの抵抗値をＲ１、可動電極４３から第２固定電極端子４５までの抵抗値をＲ２としている（Ｒ１＋Ｒ２＝Ｒ０）。
【０００６】
なお、この出願の発明に関連する先行技術文献情報としては、特許文献１，２がある。
【先行技術文献】
【特許文献】
【０００７】
【特許文献１】実用新案登録第２５１８３５０号公報
【特許文献２】特開平４−２４４９０１号公報
【発明の概要】
【発明が解決しようとする課題】
【０００８】
ところで、図４（ｂ）の従来のポテンショメータの可動電極位置検出回路４７では、Ｒｉｎ＝∞であるときは、接触抵抗Ｒｃによらず、可動電極の電位Ｖ１は下式
Ｖ１＝Ｖ０・Ｒ２／（Ｒ１＋Ｒ２）
となる。しかし、Ｒｉｎが有限の値であるときは、電圧測定回路４８で測定される電圧（測定電圧）Ｖ１’は、下式
Ｖ１’＝Ｖ１・Ｒｉｎ／（Ｒｉｎ＋Ｒｃ＋Ｒ１//Ｒ２）
但し、Ｒ１//Ｒ２＝Ｒ１・Ｒ２／（Ｒ１＋Ｒ２）
となる。この式より、Ｖ１’＜Ｖ１となり、接触抵抗Ｒｃが変化すると電圧測定回路４８での測定電圧Ｖ１’も変化してしまうことが分かる。
【０００９】
一例として、Ｒｉｎ＝∞、１ＭΩ、１００ｋΩとした場合において、接触抵抗Ｒｃを変化させたときの電圧測定回路４８での測定電圧Ｖ１’の変化を図５に示す。なお、ここでは、Ｒ１＝Ｒ２＝１０ｋΩ、Ｖ０＝５Ｖとしている。
【００１０】
図５に示すように、Ｒｉｎ＝∞（図示実線）の場合には、接触抵抗Ｒｃによらず測定電圧Ｖ１’は略一定の値となっている。しかし、Ｒｉｎ＝１ＭΩ（図示破線）、１００ｋΩ（図示一点鎖線）の場合には、接触抵抗Ｒｃにより測定電圧Ｖ１’が変化してしまうことが分かる。より具体的には、Ｒｉｎ＞＞Ｒｃのときには、測定電圧Ｖ１’は下式
Ｖ１’≒Ｖ１・Ｒｉｎ／（Ｒｉｎ＋Ｒ１//Ｒ２）
となり略一定となるが、Ｒｃが大きくなるほどＶ１’は低い値となり、Ｒｃ＞＞ＲｉｎとなるとＶ１’≒０となる。
【００１１】
接触抵抗Ｒｃは、正常な状態では低い値であるが、可動電極４３の固定電極間抵抗４２への接触部表面は金属であるため、腐食などにより変質すると、接触抵抗Ｒｃが正常な状態と比較して増大してしまう。また、固定電極間抵抗４２の表面が変質したり、固定電極間抵抗４２の表面に絶縁性の異物が付着した場合には、その変質箇所あるいは異物付着箇所を可動電極４３が通過する際に接触抵抗Ｒｃが増大してしまう。
【００１２】
上述のように、接触抵抗Ｒｃが増大すると、入力抵抗Ｒｉｎが有限の値である電圧測定回路４８を用いたときに、その測定電圧Ｖ１’（可動電極４３の電位）が本来とは異なった値となり、可動電極４３の位置検出に誤差が発生してしまう。さらに、接触抵抗Ｒｃが増大して可動電極４３と固定電極間抵抗４２が絶縁状態に近くなると、Ｖ１’≒０となり電圧測定ができなくなってしまう。
【００１３】
このように、従来のポテンショメータの可動電極位置検出回路４７では、接触抵抗Ｒｃの影響により電圧測定回路４８での測定電圧Ｖ１’が変化してしまい、可動電極４３の位置を正確に検出できなくなってしまうという問題がある。そのため、この従来のポテンショメータの可動電極位置検出回路４７を可変電気チルト角アンテナの可変移相器に用いた場合、チルト角の設定誤差が増加したり、正常にチルト角の制御を行うことができなくなるおそれがある。
【００１４】
本発明は上記事情に鑑み為されたものであり、可動電極と固定電極間抵抗間の接触抵抗の影響を受けずに可動電極の位置を検出できるポテンショメータの可動電極位置検出回路を提供することを目的とする。
【課題を解決するための手段】
【００１５】
本発明は上記目的を達成するために創案されたものであり、固定電極間抵抗に可動電極を摺動可能に接触させてなり、前記固定電極間抵抗の両端にそれぞれ設けられた第１固定電極端子および第２固定電極端子と、前記可動電極に設けられた可動電極端子とを備えたポテンショメータの可動電極位置検出回路であって、抵抗測定回路と、前記抵抗測定回路を、前記可動電極端子と前記第１固定電極端子との間に接続するか、あるいは、前記可動電極端子と前記第２固定電極端子との間に接続するか、を切り替え可能な切替回路と、前記固定電極間抵抗の抵抗値と、前記抵抗測定回路を前記可動電極端子と前記第１固定電極端子との間に接続したときに前記抵抗測定回路で測定した抵抗値と、前記抵抗測定回路を前記可動電極端子と前記第２固定電極端子との間に接続したときに前記抵抗測定回路で測定した抵抗値とを基に、前記可動電極の位置を演算する演算装置と、を備えたポテンショメータの可動電極位置検出回路である。
【００１６】
前記演算装置は、前記固定電極間抵抗の抵抗値Ｒ０と、前記抵抗測定回路を前記可動電極端子と前記第１固定電極端子との間に接続したときに前記抵抗測定回路で測定した抵抗値Ｒ１’と、前記抵抗測定回路を前記可動電極端子と前記第２固定電極端子との間に接続したときに前記抵抗測定回路で測定した抵抗値Ｒ２’とを基に、下式（１）
Ｒ２／Ｒ０＝（Ｒ０−Ｒ１’＋Ｒ２’）／（２・Ｒ０）    ・・・（１）
により、前記可動電極の位置Ｒ２／Ｒ０を演算するように構成されてもよい。
【００１７】
前記切替回路は、前記抵抗測定回路を、前記可動電極端子と前記第１固定電極端子との間、前記可動電極端子と前記第２固定電極端子との間、あるいは前記両固定電極端子間のいずれかに接続するよう切り替え可能に構成され、前記演算装置は、前記抵抗測定回路を前記両固定電極端子間に接続したときに前記抵抗測定回路で測定した前記固定電極間抵抗の抵抗値を用いて、前記可動電極の位置を演算するように構成されてもよい。
【００１８】
前記抵抗測定回路を、直流定電圧源と電流測定回路とで構成し、前記電流測定回路と直列に電流制限素子を設けてもよい。
【発明の効果】
【００１９】
本発明によれば、可動電極と固定電極間抵抗間の接触抵抗の影響を受けずに可動電極の位置を検出できるポテンショメータの可動電極位置検出回路を提供できる。
【図面の簡単な説明】
【００２０】
【図１】（ａ）〜（ｃ）は、本発明の一実施の形態に係るポテンショメータの可動電極位置検出回路の構成図である。
【図２】（ａ），（ｂ）は、図１のポテンショメータの可動電極位置検出回路に用いる抵抗測定回路の構成図である。
【図３】（ａ），（ｂ）は、図１のポテンショメータの可動電極位置検出回路の一変形例を示す構成図である。
【図４】（ａ）は一般的なポテンショメータの構成図、（ｂ）は従来のポテンショメータの可動電極位置検出回路の構成図である。
【図５】図４（ｂ）の従来の従来のポテンショメータの可動電極位置検出回路において、接触抵抗Ｒｃを変化させたときの電圧測定回路での測定電圧Ｖ１’の変化を示すグラフ図である。
【発明を実施するための形態】
【００２１】
以下、本発明の実施の形態を添付図面にしたがって説明する。
【００２２】
図１（ａ）〜（ｃ）は、本実施の形態に係るポテンショメータの可動電極位置検出回路の構成図である。
【００２３】
図１（ａ）〜（ｃ）に示すように、ポテンショメータの可動電極位置検出回路１は、固定電極間抵抗３に可動電極４を摺動可能に接触させたポテンショメータ２における可動電極４の位置を検出するためのものである。ポテンショメータ２は、固定電極間抵抗３の両端にそれぞれ設けられた第１固定電極端子５および第２固定電極端子６と、可動電極４に設けられた可動電極端子７とを備えている。ポテンショメータ２としては、リニアポテンショメータ、ロータリーポテンショメータのどちらを用いてもよい。
【００２４】
本実施の形態に係るポテンショメータの可動電極位置検出回路１は、抵抗測定回路８と、切替回路９と、演算装置１０と、を備えている。
【００２５】
切替回路９は、抵抗測定回路８を、可動電極端子７と第１固定電極端子５との間に接続するか、あるいは、可動電極端子７と第２固定電極端子６との間に接続するか、を切り替え可能に構成される。本実施の形態では、抵抗測定回路８を、可動電極端子７と第１固定電極端子５との間、可動電極端子７と第２固定電極端子６との間、あるいは両固定電極端子５，６間のいずれかに接続するよう切り替え可能に切替回路９を構成している。
【００２６】
具体的には、切替回路９は、２つの２接点のスイッチ１１，１２から構成される。両スイッチ１１，１２は、３つの端子ａ〜ｃを備え、共通端子ｃと端子ａとを電気的に接続するか、あるいは共通端子ｃと端子ｂとを電気的に接続するかを切替可能に構成されている。
【００２７】
両スイッチ１１，１２の共通端子ｃは、抵抗測定回路８にそれぞれ電気的に接続される。第１スイッチ１１の端子ａは第１固定電極端子５に電気的に接続され、第１スイッチ１１の端子ｂは可動電極端子７に電気的に接続される。第２スイッチ１２の端子ａは第１固定電極端子５に電気的に接続され、第２スイッチ１２の端子ｂは第２固定電極端子６に電気的に接続される。
【００２８】
図１（ａ）に示すように、第１スイッチ１１を端子ａ側に、第２スイッチ１２を端子ｂ側に切り替えると、両固定電極端子５，６間に抵抗測定回路８を接続した状態となり、抵抗測定回路８では、固定電極間抵抗３の抵抗値Ｒ０が測定されることになる。可動電極４から第１固定電極端子５までの固定電極間抵抗３の抵抗値をＲ１、可動電極４から第２固定電極端子６までの固定電極間抵抗３の抵抗値をＲ２とすると、抵抗値Ｒ０は、下式（２）
Ｒ０＝Ｒ１＋Ｒ２    ・・・（２）
となる。
【００２９】
また、図１（ｂ）に示すように、両スイッチ１１，１２を端子ｂ側に切り替えると、可動電極端子７と第２固定電極端子６との間に抵抗測定回路８を接続した状態となり、抵抗測定回路８では、可動電極４と第２固定電極端子６間の抵抗値Ｒ２’が測定されることになる。このとき測定される抵抗値Ｒ２’は、可動電極４と固定電極間抵抗３との間に存在する接触抵抗の抵抗値をＲｃとすると、下式（３）
Ｒ２’＝Ｒ２＋Ｒｃ    ・・・（３）
となる。
【００３０】
さらに、図１（ｃ）に示すように、第１スイッチ１１を端子ｂ側に、第２スイッチ１２を端子ａ側に切り替えると、可動電極端子７と第１固定電極端子５との間に抵抗測定回路８を接続した状態となり、抵抗測定回路８では、可動電極４と第１固定電極端子５間の抵抗値Ｒ１’が測定されることになる。このとき測定される抵抗値Ｒ１’は、下式（４）
Ｒ１’＝Ｒ１＋Ｒｃ    ・・・（４）
となる。
【００３１】
抵抗測定回路８は、測定した抵抗値（Ｒ０，Ｒ１’，Ｒ２’）に応じたアナログの検出信号を出力するように構成されており、このアナログの検出信号をＡ／Ｄ変換器１３でデジタルに変換してから演算装置１０に入力するように構成されている。なお、抵抗測定回路８とＡ／Ｄ変換器１３間に、図示しない低域フィルタを挿入し、低域フィルタにより雑音を除去してからＡ／Ｄ変換を行うようにしてもよい。
【００３２】
演算装置１０は、切替回路９（スイッチ１１，１２）を制御して、抵抗測定回路８を接続する端子５，６，７を切り替え、抵抗測定回路８を両固定電極端子５，６間に接続したときに抵抗測定回路８で測定した固定電極間抵抗の抵抗値Ｒ０と、抵抗測定回路８を可動電極端子７と第１固定電極端子５との間に接続したときに抵抗測定回路８で測定した抵抗値Ｒ１’と、抵抗測定回路８を可動電極端子７と第２固定電極端子６との間に接続したときに抵抗測定回路８で測定した抵抗値Ｒ２’とを記憶し、その記憶した抵抗値Ｒ０，Ｒ１’，Ｒ２’を基に、可動電極４の位置を演算するように構成される。
【００３３】
上述の式（３）を変形すると、下式（５）
Ｒ２＝Ｒ２’−Ｒｃ    ・・・（５）
となる。また、式（４）に式（２）を代入すると、下式（６）
Ｒｃ＝Ｒ１’−Ｒ１＝Ｒ１’−Ｒ０＋Ｒ２    ・・・（６）
となるので、式（６）を式（５）に代入すると、下式（７）
Ｒ２＝Ｒ０−Ｒ１’＋Ｒ２’−Ｒ２
＝（Ｒ０−Ｒ１’＋Ｒ２’）／２    ・・・（７）
となる。
【００３４】
可動電極４の位置（固定電極間抵抗３の全長に対する相対的な位置）は、Ｒ２／Ｒ０で表されるので、演算装置１０は、下式（１）
Ｒ２／Ｒ０＝（Ｒ０−Ｒ１’＋Ｒ２’）／（２・Ｒ０）    ・・・（１）
により、可動電極４の位置Ｒ２／Ｒ０を演算するように構成される。式（１）は、可動電極４と固定電極間抵抗３間の接触抵抗の抵抗値Ｒｃを含んでおらず、可動電極４と固定電極間抵抗３間の接触抵抗の影響を受けずに可動電極４の位置を求めることが可能である。
【００３５】
演算装置１０は、抵抗測定回路８からＡ／Ｄ変換器１３を介して入力された抵抗値Ｒ０，Ｒ１’，Ｒ２’を用いてその都度可動電極４の位置を演算するようにしてもよいし、雑音をより低減するために、入力された複数の抵抗値Ｒ０，Ｒ１’，Ｒ２’（所定時間の抵抗値Ｒ０，Ｒ１’，Ｒ２’の履歴）を記憶して平均化し、その平均化した値を用いて可動電極４の位置を演算するようにしてもよい。
【００３６】
抵抗測定回路８は、図２（ａ）に示すように、直流定電圧源２１と電流測定回路２２とを直列に接続して構成するか、あるいは、図２（ｂ）に示すように、直流定電流源２３と電圧測定回路２４とを並列に接続して構成すればよい。なお、抵抗測定回路８を直流定電圧源２１と電流測定回路２２とで構成する場合、可動電極４が固定電極端子５，６に近づくと、抵抗値Ｒ１またはＲ２が０に近くなり、電流測定回路２２に過大な電流が流れてしまうおそれがあるため、電流測定回路２２と直列に電流制限素子（図示せず）を設けて、電流測定回路２２を保護することが望ましい。
【００３７】
また、電流測定回路２２や電圧測定回路２４の測定値を抵抗値に換算せずに、測定した電流値や電圧値を用いて可動電極４の位置を演算することも可能である。
【００３８】
例えば、抵抗測定回路８を、直流定電圧源２１と電流測定回路２２とで構成した場合、図１（ａ）のように第１スイッチ１１を端子ａ側、第２スイッチ１２を端子ｂ側に切り替えたときに電流測定回路２２で測定される電流値をＩ０、図１（ｂ）のように両スイッチ１１，１２を端子ｂ側に切り替えたときに電流測定回路２２で測定される電流値をＩ２、図１（ｃ）のように第１スイッチ１１を端子ｂ側、第２スイッチ１２を端子ａ側に切り替えたときに電流測定回路２２で測定される電流値をＩ１とすると、下式（８）
Ｒ２／Ｒ０＝（Ｒ０−Ｒ１’＋Ｒ２’）／（２・Ｒ０）
＝（Ｉ１・Ｉ２−Ｉ２・Ｉ０＋Ｉ１・Ｉ０）
／（２・Ｉ１・Ｉ２）    ・・・（８）
より、可動電極４の位置を検出することができる。なお、電流測定回路２２は、電流の絶対値ではなく、Ｉ０，Ｉ１，Ｉ２の比率が得られるだけのものであってもよい（つまり相対的な電流が測定できるものであればよい）。
【００３９】
同様に、抵抗測定回路８を、直流定電流源２３と電圧測定回路２４とで構成した場合、図１（ａ）のように第１スイッチ１１を端子ａ側、第２スイッチ１２を端子ｂ側に切り替えたときに電圧測定回路２４で測定される電圧値をＶ０、図１（ｂ）のように両スイッチ１１，１２を端子ｂ側に切り替えたときに電圧測定回路２４で測定される電圧値をＶ２、図１（ｃ）のように第１スイッチ１１を端子ｂ側、第２スイッチ１２を端子ａ側に切り替えたときに電圧測定回路２４で測定される電圧値をＶ１とすると、下式（９）
Ｒ２／Ｒ０＝（Ｒ０−Ｒ１’＋Ｒ２’）／（２・Ｒ０）
＝（Ｖ０−Ｖ１＋Ｖ２）／（２・Ｖ０）    ・・・（９）
より、可動電極４の位置を検出することができる。なお、電圧測定回路２４は、電圧の絶対値ではなく、Ｖ０，Ｖ１，Ｖ２の比率が得られるだけのものであってもよい（つまり相対的な電圧が測定できるものであればよい）。
【００４０】
また、本実施の形態では、固定電極間抵抗３の抵抗値Ｒ０を抵抗測定回路８で測定するように構成したが、固定電極間抵抗３の抵抗値Ｒ０が既知であれば、固定電極間抵抗３の抵抗値Ｒ０の測定を省略することも可能である。
【００４１】
この場合、図３（ａ），（ｂ）に示すポテンショメータの可動電極位置検出回路３１のように、第１スイッチ１１を省略して、切替回路９を１つの２接点スイッチ（第２スイッチ１２）のみで構成することが可能である。
【００４２】
ポテンショメータの可動電極位置検出回路３１では、第１固定電極端子５が第２スイッチ１２の端子ａに、第２固定電極端子６が第２スイッチ１２の端子ｂに、可動電極端子７が抵抗測定回路８に、それぞれ電気的に接続されている。つまり、ポテンショメータの可動電極位置検出回路３１は、図１のポテンショメータの可動電極位置検出回路１において、第１スイッチ１１を端子ｂ側で固定したものと等価である。
【００４３】
このポテンショメータの可動電極位置検出回路３１では、図３（ａ）に示すように、第２スイッチ１２を端子ａ側に切り替えると、抵抗測定回路８で可動電極４と第１固定電極端子５間の抵抗値Ｒ１’が測定され、図３（ｂ）に示すように、第２スイッチ１２を端子ｂ側に切り替えると、抵抗測定回路８で可動電極４と第２固定電極端子６間の抵抗値Ｒ２’が測定されることになる。
【００４４】
このように、固定電極間抵抗３の抵抗値Ｒ０として既知の値を用いる場合には、切替回路９に用いる２接点のスイッチの数を減らし、回路構成を簡略化して低コスト化が可能になる。ただし、ポテンショメータの可動電極位置検出回路３１では、固定電極間抵抗３の個体差や経年劣化等による抵抗値の変化に対応できないため、固定電極間抵抗３の個体差や経年劣化等による抵抗値の変化に対応するためには、図１のポテンショメータの可動電極位置検出回路１のように、固定電極間抵抗３の抵抗値Ｒ０をその都度測定することが望ましい。
【００４５】
以上説明したように、本実施の形態に係るポテンショメータの可動電極位置検出回路１，３１では、抵抗測定回路８と、抵抗測定回路８を、可動電極端子７と第１固定電極端子５との間に接続するか、あるいは、可動電極端子７と第２固定電極端子６との間に接続するか、を切り替え可能な切替回路９と、固定電極間抵抗３の抵抗値Ｒ０、抵抗測定回路８を可動電極端子７と第１固定電極端子５との間に接続したときに抵抗測定回路８で測定した抵抗値Ｒ１’、抵抗測定回路８を可動電極端子７と第２固定電極端子６との間に接続したときに抵抗測定回路８で測定した抵抗値Ｒ２’を基に、可動電極４の位置を演算する演算装置１０と、を備えている。
【００４６】
これにより、可動電極４と固定電極間抵抗３間の接触抵抗の影響を受けずに可動電極４の位置を検出することが可能になり、その結果、経年劣化等により可動電極４と固定電極間抵抗３間の接触抵抗の抵抗値Ｒｃが変化した場合であっても、可動電極４の位置を精度よく検出することが可能になる。
【００４７】
本発明は上記実施の形態に限定されるものではなく、本発明の趣旨を逸脱しない範囲で種々の変更を加え得ることは勿論である。
【００４８】
例えば、上記実施の形態では、１つの抵抗測定回路８を用いた場合を説明したが、抵抗測定回路８を複数備え、抵抗値Ｒ０，Ｒ１’，Ｒ２を別の抵抗測定回路８で測定するように構成してもよい。
【００４９】
また、上記実施の形態では言及しなかったが、演算装置１０に、接触抵抗の抵抗値Ｒｃが異常に大きくなったときにアラームを発生する機能を付与することも可能である。
【００５０】
具体的には、Ｒ１//Ｒ２の最大値は、下式（１０）
Ｒ１//Ｒ２＝Ｒ１・Ｒ２／（Ｒ１＋Ｒ２）
＝Ｒ１・（Ｒ０−Ｒ１）／Ｒ０    ・・・（１０）
より、Ｒ０／４となる（Ｒ１＝Ｒ０／２のとき）。したがって、抵抗測定回路８で測定した抵抗値Ｒ０’（＝Ｒｃ＋Ｒ１//Ｒ２）がＲ０／４を大きく上回るときには、可動電極４と固定電極３間の接触抵抗の抵抗値Ｒｃが大きくなっていることを意味する（なお、Ｒｃは正常時には０に近い抵抗値となる）。よって、抵抗測定回路８で測定した抵抗値Ｒ０’からＲ０／４を減じた値が予め設定した閾値を上回ったときに、接触抵抗の抵抗値Ｒｃが異常に大きくなったと判断してアラームを発生するよう演算装置１０を構成すればよい。
【符号の説明】
【００５１】
１  ポテンショメータの可動電極位置検出回路
２  ポテンショメータ
３  固定電極間抵抗
４  可動電極
５  第１固定電極端子
６  第２固定電極端子
７  可動電極端子
８  抵抗測定回路
９  切替回路
１０  演算装置
【図１】
2013160641.tif 000003
【図２】
2013160641.tif 000004
【図３】
2013160641.tif 000005
【図４】
2013160641.tif 000006
【図５】
2013160641.tif 000007